(57)【要約】【課題】本発明は、簡易な構成で大型化することなく低音域を更に増大できるようにする。【解決手段】一端側及び他端側が開放されたパイプ１０２と、パイプ１０２と同軸状で当該パイプ１０２の一端側に配置され、音声信号に基づいて駆動されるスピーカユニット１０４と、パイプ１０２と同軸状で当該パイプ１０２の他端側に取り付けられ、パイプ１０２の内部を通る音波を受けて振動するエッジ兼振動板１０２Ｂとを具え、スピーカユニット１０４から放射されてパイプ１０２の内部を通る音波によってパイプ１０２が励振され共鳴管として機能しながら、パイプ１０２の内部を通る音波を受けてエッジ兼振動板１０２Ｂが振動することによりパッシブラジエターとして機能させる。【選択図】図１５
2011223312.tif 000002
【特許請求の範囲】
【請求項１】
一端側及び他端側が開放された筒状部材と、
上記筒状部材と同軸状で当該筒状部材の上記一端側に配置され、音声信号に基づいて駆動される発音体と、
上記筒状部材と同軸状で当該筒状部材の上記他端側に取り付けられ、上記筒状部材の内部を通る音波を受けて振動する振動板と
を具え、
上記発音体から放射されて上記筒状部材の内部を通る音波によって上記筒状部材が励振され共鳴管として機能しながら、上記筒状部材の内部を通る音波を受けて上記振動板が振動することによりパッシブラジエターとして機能する
スピーカ装置。
【請求項２】
上記スピーカ装置は、
上記筒状部材の端面に直交する方向の振動成分を加振するアクチュエータと
を具える請求項１に記載のスピーカ装置。
【請求項３】
上記筒状部材は、上記アクチュエータの加振により当該筒状部材の外面から高音域の音声出力を行い、上記発音体から放射されて上記筒状部材の内部を通る音波による励振により上記筒状部材の外面から低音域の音声出力を行う
請求項２に記載のスピーカ装置。
【請求項４】
上記筒状部材は、上記他端側に上記振動板が一体成形されている
請求項１又は３に記載のスピーカ装置。
【請求項５】
上記筒状部材および上記振動板は透明部材で形成されている
請求項４に記載のスピーカ装置。
【請求項６】
上記スピーカ装置は、
上記発音体の背面側に設けられた光源と
を具え、
上記光源からの光を上記振動板で受けることにより、当該振動板の振動と同調した発光状態を生成する
請求項３に記載のスピーカ装置。
【請求項７】
一端側及び他端側が開放された筒状部材と同軸状で、当該筒状部材の上記一端側に配置された発音体から音声信号に基づいて放射される音波を上記筒状部材の内部を通過させ、
上記筒状部材と同軸状で当該筒状部材の上記他端側に取り付けられた振動板を、上記筒状部材の内部を通過させた上記発音体からの音波によって振動させることにより当該振動板がパッシブラジエターとして機能する
音声出力方法。
【発明の詳細な説明】
【技術分野】
【０００１】
本発明は、スピーカ装置及び音声出力方法に関し、音声信号に基づいて駆動される発音体からの音波により筒状部材の管壁を励振し、この筒状部材の外面全体から外部へ音波を放射させることにより広がり感のある音像を得るような場合に適用して好適なものである。
【背景技術】
【０００２】
従来、磁歪アクチュエータによって音響振動板に振動を加えて音響再生するスピーカシステムが提案されている（例えば特許文献１参照）。
【０００３】
図１に示すように、このスピーカシステム１では、アクリル樹脂等からなる円筒形状の音響振動板１０を円板状のベース筐体２０上に鉛直に支持し、当該ベース筐体２０の等角間隔の４箇所の位置に磁歪アクチュエータ３０を配置する。
【０００４】
スピーカシステム１では、それぞれの磁歪アクチュエータ３０の駆動ロッド３５を音響振動板１０の下端面１２に当接させ、音声信号によって磁歪アクチュエータ３０を駆動し、音響振動板１０の下端面１２に対して、これに垂直な方向の振動を加える。
【０００５】
このとき音響振動板１０の下端面１２は縦波で励起されるが、振動弾性波が音響振動板１０の面方向（面に平行な方向）へ伝播することによって縦波と横波とが混在した混在波となって、音響振動板１０の面方向へ音波が放射され、音響振動板１０の高さ方向の全体に渡って均一な音像が形成される。
【０００６】
なお、このスピーカシステム１では省略したが、特許文献１にはベース筐体２０の中央の開口部に通常のスピーカユニットが取り付けられることについても示されている。
【０００７】
この場合、音響振動板１０が可聴周波数帯域の高域を受け持つツィータとして機能し、通常のスピーカユニットが可聴周波数帯域の低域を受け持つウーファとして機能するようになされている。
【０００８】
一方、球体状の共鳴器に設けられた能動振動板と、当該共鳴器における能動振動板と対向する位置に設けられた受動振動板とを有する音響装置が提案されている（例えば特許文献２参照）。
【先行技術文献】
【特許文献】
【０００９】
【特許文献１】特開2007-228557公報
【特許文献２】特開平1-253396号公報
【発明の概要】
【発明が解決しようとする課題】
【００１０】
ところで、特許文献１に記載されたスピーカシステム１においては、通常のスピーカユニットだけが低域を受け持つ構造であり、低音域の出力が十分ではないという問題があった。
【００１１】
また当該スピーカシステム１においては、音響振動板１０の上方が開放された構造であるため、高次数の共振を除去するためのフィルタが必要となり、かつ粉塵が侵入してしまうという問題があった。
【００１２】
本発明は以上の点を考慮してなされたもので、簡易な構成でデザイン性に優れ大型化することなく低音域を更に増大させ得る良好な音響特性のスピーカ装置及び音声出力方法を提案しようとするものである。
【課題を解決するための手段】
【００１３】
かかる課題を解決するため本発明においては、一端側及び他端側が開放された筒状部材と、筒状部材と同軸状で当該筒状部材の一端側に配置され、音声信号に基づいて駆動される発音体と、筒状部材と同軸状で当該筒状部材の他端側に取り付けられ、筒状部材の内部を通る音波を受けて振動する振動板とを具え、発音体から放射されて筒状部材の内部を通る音波によって筒状部材が励振され共鳴管として機能しながら、筒状部材の内部を通る音波を受けて振動板が振動することによりパッシブラジエターとして機能するようにする。
【００１４】
これにより、筒状部材の内部を通る音波によって筒状部材が励振され共鳴管として機能しながら、筒状部材の内部を通る音波を受けて振動板がパッシブラジエターとして機能するので、筒状部材の外観的にも大きな変更がなくデザイン性に優れ、かつ筒状部材のサイズを大型化することなく、従来よりも低域音の出力を増大させることができる。
【００１５】
また本発明においては、一端側及び他端側が開放された筒状部材と同軸状で、当該筒状部材の一端側に配置された発音体から音声信号に基づいて放射される音波を筒状部材の内部で通過させ、筒状部材と同軸状で当該筒状部材の他端側に取り付けられた振動板を、筒状部材の内部で通過させた発音体からの音波によって振動させることにより当該振動板がパッシブラジエターとして機能するようにする。
【００１６】
これにより、筒状部材の内部を通る音波によって筒状部材が励振され共鳴管として機能しながら、筒状部材の内部を通る音波を受けて振動板がパッシブラジエターとして機能するので、筒状部材の外観的にも大きな変更がなくデザイン性に優れ、かつ筒状部材のサイズを大型化することなく、従来よりも低域音の出力を増大させることができる。
【発明の効果】
【００１７】
本発明によれば、筒状部材の内部を通る音波によって筒状部材が励振され共鳴管として機能しながら、筒状部材の内部を通る音波を受けて振動板がパッシブラジエターとして機能するので、筒状部材の外観的にも大きな変更がなく、かつ筒状部材のサイズを大型化することなく、従来よりも低域音の出力を増大させることができ、かくして簡易な構成でデザイン性に優れ大型化することなく低音域を更に増大させ得る良好な音響特性のスピーカ装置及び音声出力方法を実現することができる。
【図面の簡単な説明】
【００１８】
【図１】従来のスピーカシステムの構成を示す略線的斜視図である。
【図２】スピーカ装置の全体構成を示す略線的斜視図である。
【図３】スピーカ装置の断面構成を示す略線的縦断面図である。
【図４】スピーカ装置の上面構成を示す略線的上面図である。
【図５】スピーカ装置の下面構成を示す略線的底面図である。
【図６】相関係数の説明に供する略線図である。
【図７】アクチュエータが２個の場合の相関係数を示す略線図である。
【図８】２つの音声信号の間の相関係数に応じて音像が変化する様子を示す略線図である。
【図９】アクチュエータが４個の場合の相関係数を示す略線図である。
【図１０】音像状態の一例を示す略線図である。
【図１１】モノラル再生を行う場合の駆動方法の一例を示す略線図である。
【図１２】ステレオ再生を行う場合の駆動方法の一例を示す略線図である。
【図１３】サラウンド再生を行う場合の駆動方法の一例を示す略線図である。
【図１４】サラウンド再生を行う場合の音像状態を示す略線図である。
【図１５】音波放射状態の説明に供する略線図である。
【図１６】パッシブラジエターの有無に応じた特性を示す略線図である。
【図１７】光がパイプの内側を伝播してエッジ兼振動板を照射する様子を示す略線的断面図である。
【図１８】他の実施の形態におけるスピーカ装置の全体構成を示す略線図である。
【図１９】他の実施の形態におけるスピーカ装置の断面構成を示す略線図である。
【図２０】他の実施の形態における音波放射状態の説明に供する略線図である。
【図２１】他の実施の形態におけるパイプの構成を示す略線図である。
【図２２】他の実施の形態におけるエッジ兼振動板の構成（１）を示す略線図である。
【図２３】他の実施の形態におけるエッジ兼振動板の構成（２）を示す略線図である。
【発明を実施するための形態】
【００１９】
以下、発明を実施するための形態について説明する。なお、説明は以下の順序で行う。
１．実施の形態
２．他の実施の形態
【００２０】
＜１．実施の形態＞
［１−１．スピーカ装置の構造］
図２乃至図５に示すように、スピーカ装置１００は、ベース筐体１０１と、パイプ１０２と、圧電アクチュエータ１０３と、発音体としての電動型アクチュエータ（図示せず）を用いたスピーカユニット１０４とによって構成されている。
【００２１】
ベース筐体１０１は、例えば合成樹脂がその材料とされ、全体として円板状に形成されているが、その中央部に円柱状に貫通した開口部１０５が設けられている。またベース筐体１０１には、その下面外周側に沿って例えば３本の脚部１０６が等間隔で植立されている。
【００２２】
ベース筐体１０１は、脚部１０６を３本構成としたとき、これら３本の脚部１０６は設置面と必ず接するため、例えば４本の脚部を設ける場合に比べて、安定した設置が可能となる。
【００２３】
更にベース筐体１０１は、その下面に脚部１０６が設けられることにより、当該ベース筐体１０１の下面を設置面から離間させることができ、このベース筐体１０１の下面側に取り付けられるスピーカユニット１０４からの音波が外部に放射し得るようになされている。
【００２４】
パイプ１０２は円筒形状でなる筒型の音響振動板を構成し、例えば透光性または導光性のある透明なアクリル樹脂によって形成されており、当該パイプ１０２がベース筐体１０１に固定されている。
【００２５】
すなわち、このパイプ１０２の下端部が、複数箇所この実施の形態では４箇所、金属製のＬ字アングル１０７を用いて、ベース筐体１０１の上面に固定されている。ここでパイプ１０２のサイズとしては、例えば長さが１０００ｍｍ、直径が１２０ｍｍおよび厚さが３ｍｍとなっている。
【００２６】
なお、パイプ１０２（図３）は、その上側端面の外枠１０２Ａに対してウレタン素材でなる所定厚さ（約０．３ｍｍ）の透明なエッジ兼振動板１０２Ｂが例えば透明接着剤により一体に取り付けられており、当該エッジ兼振動板１０２Ｂとベース筐体１０１のスピーカユニット１０４とが対向する位置に配置されることになる。
【００２７】
これによりパイプ１０２のエッジ兼振動板１０２Ｂは、ベース筐体１０１のスピーカユニット１０４に対するパッシブラジエターとして機能するようになされている。
【００２８】
この透明なエッジ兼振動板１０２Ｂは、透明なパイプ１０２の上側端面において、外枠１０２を介して透明接着剤により取り付けられているため、パイプ１０２からエッジ兼振動板１０２Ｂにかけて透明状態を維持し、スピーカとは思えないような外観を構成し、インテリアとしてのデザイン性を向上し得るようになされている。
【００２９】
因みに、スピーカ装置１００は、外枠１０２についても透明なアクリル樹脂によって構成するようになされており、パイプ１０２からエッジ兼振動板１０２Ｂにかけて完全な透明状態を形成し得るようになされている。
【００３０】
ここで、パッシブラジエターとして機能するエッジ兼振動板１０２Ｂは、エッジ部分ＥＧと振動板部分ＢＣとが一体成形された構造を有しているため、従来のようにエッジ部分と振動板部分とを貼り合わせた後に個別にチューニングする必要性がなく、エッジ兼振動板１０２Ｂ全体としてのみチューニングすれば済む。
【００３１】
この場合、Ｌ字アングル１０７の一端および他端には、図示していないが、ネジ止め用の丸孔が形成されている。このＬ字アングル１０７は、その一端がビス１０９を介してベース筐体１０１の上面にネジ止めされる。
【００３２】
ベース筐体１０１には、ビス１０９のネジ部と螺合するネジ溝（図示せず）が形成されている。この場合、Ｌ字アングル１０７の一端とベース筐体１０１の上面との間には、リング状のゴム材等でなるダンピング材１０８が介在するようになされている。
【００３３】
また、Ｌ字アングル１０７は、その他端がビス１１０およびナット１１１を介してパイプ１０２の下端部にネジ止めされる。パイプ１０２の下端部には、ビス１１０のネジ部を通すための丸穴（図示せず）が形成されている。
【００３４】
このＬ字アングル１０７の他端とパイプ１０２の外面との間、およびナット１１１とパイプ１０２の内面との間には、それぞれリング状のゴム材等でなるダンピング材１１２、１１３が介在するようになされている。
【００３５】
このようにスピーカ装置１００は、ダンピング材１０８、１１２、１１３を介在させることにより、圧電アクチュエータ１０３による振動（弾性波）がパイプ１０２およびＬ字アングル１０７を通じてベース筐体１０１に伝播することを阻止し、当該ベース筐体１０１側への音像定位を防止するようになされている。
【００３６】
また、このスピーカ装置１００では、４個の圧電アクチュエータ１０３がベース筐体１０１に固定され、パイプ１０２の下端部側の円形端面に沿って等間隔に配置されている。なお圧電アクチュエータ１０３は、電圧駆動型であり、その駆動ロッド１０３Ａが変位出力を伝達する伝達部を構成するようになされている。
【００３７】
この場合、ベース筐体１０１には圧電アクチュエータ１０３を収納するための収納穴１１４が形成されており、圧電アクチュエータ１０３がこの収納穴１１４に収納されることによりベース筐体１０１に固定されるようになされている。
【００３８】
因みに、本実施の形態においては、４個の圧電アクチュエータ１０３を用いるようにしているが、これに限るものではなく、例えば電流駆動型の磁歪アクチュエータや、その他、動電アクチュエータ等を用いることもできる。
【００３９】
この場合スピーカ装置１００では、電圧駆動型の圧電アクチュエータ１０３を用いているため、電流駆動型に比べて消費電流が少なくなり、その結果、発熱量が少なく、かつバッテリの使用時間が増えるという利点を有する。
【００４０】
ここで、収納穴１１４の底面と圧電アクチュエータ１０３との間には、ゴム材等でなるダンピング材１１５が介在するようになされており、これにより、圧電アクチュエータ１０３による振動がベース筐体１０１に伝播することを阻止し、当該ベース筐体１０１側への音像定位を防止するようになされている。
【００４１】
圧電アクチュエータ１０３がベース筐体１０１の収納穴１１４に収納固定された状態では、この圧電アクチュエータ１０３の駆動ロッド１０３Ａはパイプ１０２の下端部側の端面に当接した状態となる。
【００４２】
この場合、駆動ロッド１０３Ａの変位方向は、パイプ１０２の面方向（面に平行な方向）でもある。スピーカ装置１００では、圧電アクチュエータ１０３をこのような配置状態とすることにより、パイプ１０２の下端部側の端面から、この端面に直交した方向の振動成分をもって当該パイプ１０２を加振し得るようになされている。
【００４３】
このときパイプ１０２は、下端部側の端面が縦波によって励起され、振動弾性波が当該パイプ１０２の面方向（面に平行な方向）に伝播することにより縦波と横波とが混在した混在波となって当該パイプ１０２の面方向へ放射され、当該パイプ１０２の高さ方向の全体に渡って均一な音像を形成するようになされている。
【００４４】
かくしてパイプ１０２は、可聴周波数帯域の高域側を受け持つスピーカを構成し、ツィータとして機能する一方、スピーカユニット１０４が可聴周波数帯域の低域側を受け持つスピーカを構成しウーハとして機能すると共に、エッジ兼振動板１０２Ｂがスピーカユニット１０４からの低音を受けて増強するパッシブラジエターとして機能するようになされている。
【００４５】
スピーカユニット１０４は、ベース筐体１０１の下面側の開口部１０５に対応した位置に、下方に前方を向けた状態で、例えばビス（図示せず）を用いて取り付けられている。この場合、スピーカユニット１０４の中心軸の方向は、パイプ１０２の軸方向と一致するようになされている。
【００４６】
このスピーカユニットの前方から出力される正相の音波は、ベース筐体１０１の下面側から外部へ放射される。また、このスピーカユニット１０４の背面から出力される逆相の音波は、開口部１０５およびパイプ１０２を通ってエッジ兼振動板１０２Ｂへ到達する際、当該パイプ１０２が共鳴管として機能し、当該パイプ１０２からも量感のある低域音を出力すると共に、当該エッジ兼振動板１０２Ｂがパッシブラジエターとして機能する。
【００４７】
この場合、スピーカ装置１００は、パイプ１０２による共鳴管としての機能と、エッジ兼振動板１０２Ｂによるパッシブラジエターとしての機能とを併せ持つことになるので、更に低域音を増強し得るようになされている。
【００４８】
なお、パイプ１０２の下端部側の端面とベース筐体１０１との間には、例えばゴム材からなるダンピング材１１６が配設されている。このダンピング材１１６は、図４（Ｂ）に示すように、全体としてリング状に形成され、圧電アクチュエータ１０３の駆動ロッド１０３Ａを通すための貫通穴１１６Ａが設けられている。
【００４９】
従ってスピーカ装置１００は、このダンピング材１１６により、圧電アクチュエータ１０３による振動がパイプ１０２を通じてベース筐体１０１へ伝播することを阻止すると共に、ダンピング材１１６によって密閉度を高めることによりパイプ１０２が共鳴管として良好に機能し得るようになされている。
【００５０】
かかる構成に加えてスピーカ装置１００（図３、図４）では、ベース筐体１０１の開口部１０５に取り付けられたスピーカユニット１０４の背面側において、当該スピーカユニット１０４の背面側を覆うように配置されたステー１３１に対して、６０度間隔ごとに計６個のＬＥＤ(Light Emitting Diode)電球１３２が設置されている。なお、ＬＥＤ電球１３２ではなく、単にＬＥＤであっても良い。
【００５１】
そしてスピーカ装置１００は、スピーカユニット１０４のドライバー部１０４Ｄに対して略円板状でなる拡散板１３３がＬＥＤ電球１３２を覆うように取り付けられている。
【００５２】
これによりスピーカ装置１００は、ＬＥＤ電球１３２からの照射光を拡散板１３３によって拡散し、拡散光としてパイプ１０２の内部を通過させた後、エッジ兼振動板１０２Ｂを内側から照射するようになされている。
【００５３】
このエッジ兼振動板１０２Ｂは、光拡散性を有する振動板すなわち光拡散板でもあり、パイプ１０２の内部を通過した拡散光を当該エッジ兼振動板１０２Ｂにより更に拡散した後、外部へ放射するようになされている。
【００５４】
このときエッジ兼振動板１０２Ｂは、パッシブラジエターとして機能するため、スピーカユニット１０４の低音出力と同調して振動する。その結果、スピーカ装置１００は、スピーカユニット１０４およびエッジ兼振動板１０２Ｂの振動による音と、当該エッジ兼振動板１０２Ｂの振動と連動して放射される光とが同調した発光状態を形成するようになされている。
【００５５】
ここでパイプ１０２は、透光性または導光性のあるアクリル樹脂によって形成されている。なおパイプ１０２は、アクリル樹脂によって形成されているだけでなく、蛍光塗料が含まれていても良い。
【００５６】
この蛍光塗料としては、例えば、ＢＡＳＦ社のプラスチック用蛍光塗料ＬｕｍｏｇｅｎＦ（登録商標）Ｄｙｅｓを用いることができる。
【００５７】
実際上、パイプ１０２では、その材料であるアクリル樹脂に、その質量の０．０２％程度を含ませることにより、当該パイプ１０２が全表面で集光し、エッジ（端面）で強い蛍光を発する。
【００５８】
このＬｕｍｏｇｅｎＦ（登録商標）Ｄｙｅｓとしては、Ｏｒａｎｇｅ２４０（商品名）、Ｙｅｌｌｏｗ０８３（商品名）、Ｒｅｄ３０５（商品名）等が存在する。
【００５９】
例えば、Ｏｒａｎｇｅ２４０（商品名）を含ませた場合、パイプ１０２全体が透明なオレンジ色に見えると共に、その上端面（この場合、外枠１０２によって隠蔽されている）がオレンジ色に強く光る。
【００６０】
また、パイプ１０２では、その外側面にキズを付けて文字を描くと、文字部分が強く発光する。この文字部分は、ＬＥＤ電球１３２を点灯させなくても、外部の蛍光灯や太陽光等によって発光する。
【００６１】
従って、スピーカ装置１００では、ＬＥＤ電球１３２の消灯時でも、パイプ１０２に対して外部の光が与えられる使用環境下では当該パイプ１０２に描かれた文字部分をユーザに対して容易に目視確認させ得るようになされている。
【００６２】
このＬｕｍｏｇｅｎＦ（登録商標）Ｄｙｅｓは、耐光性（蛍光残存率）にも優れ、Ｏｒａｎｇｅ２４０（商品名）を含ませたパイプ１０２では、曝露前の蛍光強度を１００とすると、一定条件下で２０００時間曝露した後の蛍光強度は８５である。
【００６３】
［１−２．スピーカ駆動方法］
次に、スピーカ装置１００における駆動系について説明する。この場合スピーカ装置１００は、４個の圧電アクチュエータ１０３に対しては互いに相関の無い駆動信号をそれぞれ独立して供給することにより、パイプ１０２の外側に音像を拡げるようになされているが、その原理について２個のアクチュエータの場合を用いて説明する。
【００６４】
ところで、例えば２つの音声信号の似ている度合いを示す指標の１つとして相関係数ｒがある。図６に示すように、相関係数ｒは、＋１から−１までの値を取るようになされている。
【００６５】
具体的には、２つの音声信号が全く同一である場合の相関係数ｒは１（＋１）となり、２つの音声信号が独立・無関係である場合の相関係数ｒは０となり、２つの音声信号が互いに逆相である場合の相関係数ｒは−１となる。
【００６６】
実際上、図７に示すように、円筒形状のパイプ１０２の下端面に、これと垂直な面方向の振動を圧電アクチュエータ１０３により加える場合、左側の圧電アクチュエータ１０３を駆動する音声信号Ａ１、右側の圧電アクチュエータ１０３を駆動する音声信号Ａ２、音声信号Ａ１と音声信号Ａ２との相関係数ｒ１２とする。
【００６７】
相関係数ｒ１２と音像との関係を考慮すると、図８（Ａ）に示すように、相関係数ｒ１２＝１の場合、音像Ａｉは、パイプ１０２の中心軸に直交する面内において、当該パイプ１０２の内側中心部に形成され、拡がり感のないものとなる。
【００６８】
具体的には、相関係数ｒ１２＝１のときというのは、例えばステレオ音声信号の左音声信号と右音声信号との和の合成信号を、それぞれ音声信号Ａ１、Ａ２とする場合である。
【００６９】
図８（Ｂ）に示すように、相関係数ｒ１２＝０の場合、音像Ａｉは、パイプ１０２の中心軸に直交する面内において、左側の圧電アクチュエータ１０３および右側の圧電アクチュエータ１０３の内側の円形音像部分Ａｉ１０、Ａｉ２０と、両者の間の音像部分Ａｉ３０とからなるものとなる。
【００７０】
具体的には、相関係数ｒ１２＝０のときというのは、例えば音声信号Ａ１をステレオ音声信号の左音声信号とし、音声信号Ａ２をステレオ音声信号の右音声信号とする場合である。
【００７１】
図８（Ｃ）に示すように、相関係数ｒ１２＝−１の場合、音像Ａｉは、パイプ１０２の中心軸に直交する面内において、左側および右側の圧電アクチュエータ１０３における外側の半環状の音像部分Ａｉ１、Ａｉ２からなるものとなり、拡がり感のあるものとなる。
【００７２】
具体的には、相関係数ｒ１２＝−１のときというのは、例えばステレオ音声信号の左音声信号と右音声信号との和の合成信号を音声信号Ａ１とし、この音声信号Ａ１に対して逆相の信号を音声信号Ａ２とする場合である。
【００７３】
そこで、スピーカ装置１００では、互いの相関係数ｒ１２が１より小さくなるように無相関化された２つの音声信号Ａ１、Ａ２によって２つの圧電アクチュエータ１０３を独立して駆動するようになされている。なお、無相関化は、音声信号に対する移相、遅延又は演算（合成）することによって行う。
【００７４】
［１−３．駆動方法と音像状態］
図９に示すように、本実施の形態におけるスピーカ装置１００の場合、左側および右側の圧電アクチュエータ１０３に加えて上側の圧電アクチュエータ１０３、下側の圧電アクチュエータ１０３が存在する。
【００７５】
この場合、上側の圧電アクチュエータ１０３を駆動する音声信号Ａ１、右側の圧電アクチュエータ１０３を駆動する音声信号Ａ２、下側の圧電アクチュエータ１０３を駆動する音声信号Ａ３、左側の圧電アクチュエータ１０３を駆動する音声信号Ａ４とする。
【００７６】
そして、相関係数ｒとしては、音声信号Ａ１、Ａ２間の相関係数ｒ１２、音声信号Ａ１、Ａ３間の相関係数ｒ１３、音声信号Ａ１、Ａ４間の相関係数ｒ１４、音声信号Ａ２、Ａ３間の相関係数ｒ２３、音声信号Ａ２、Ａ４間の相関係数ｒ２４、音声信号Ａ３、Ａ４間の相関係数ｒ３４の６つが考えられる。
【００７７】
これら６つの相関係数ｒ１２、ｒ１３、ｒ１４、ｒ２３、ｒ２４、ｒ３４が全て、１よりも十分に小さくなるように、すなわち−１または０に近い値となるように、音声信号Ａ１、Ａ２、Ａ３、Ａ４を互いに無相関化処理する。
【００７８】
これにより、スピーカ装置１００の音声信号Ａ１、Ａ２、Ａ３およびＡ４による音像は、全体として、図１０（Ａ）、（Ｂ）に示すように、音像Ａｉは、パイプ１０２の中心軸に直交する面内において、当該パイプ１０２の外側に環状に形成され、拡がり感が得られるようになされている。
【００７９】
以下に、モノラル再生を行う場合、ステレオ再生を行う場合、およびサラウンド再生を行う場合につき、具体的な駆動方法を示す。
【００８０】
［１−４．モノラル再生を行う場合の駆動方法］
図１１に示すように、モノラル再生を行う場合の駆動方法としては、音声信号の位相を移相することによって無相関化する。
【００８１】
具体的に、この駆動方法としては、元のモノラル音声信号Ｍｏをそのまま上側の圧電アクチュエータ１０３へ供給すると共に、９０°移相回路５１によりモノラル音声信号Ｍｏの位相を９０°遅らせる（又は進ませる）ことにより、モノラル音声信号Ｍ１として右側の圧電アクチュエータ１０３へ供給する。
【００８２】
さらに、この駆動方法としては、９０°移相回路５２によりモノラル音声信号Ｍ１の位相を９０°遅らせる（又は進ませる）ことにより、モノラル音声信号Ｍ２として下側の圧電アクチュエータ１０３へ供給し、９０°移相回路５３によりモノラル音声信号Ｍ２の位相を９０°遅らせる（又は進ませる）ことにより、モノラル音声信号Ｍ３として左側の圧電アクチュエータ１０３へ供給する。
【００８３】
この駆動方法では、図９に示したように、６つの相関係数ｒ１２、ｒ１３、ｒ１４、ｒ２３、ｒ２４、ｒ３４が全て無相関化されて、図１０に示したように、パイプ１０２の外側に拡がり感のある音像Ａｉが形成される。
【００８４】
［１−５．ステレオ再生を行う場合の駆動方法］
例えば図１２に示すように、ステレオ再生を行う場合の駆動方法としては、音声信号の位相を反転することによって無相関化する。
【００８５】
具体的に、この駆動方法では、元の左音声信号Ｌｏを、そのまま一方の左音声信号Ｌａとして上側の圧電アクチュエータ１０３へ供給すると共に、位相反転回路６１により左音声信号Ｌｏの位相を反転させることにより、一方の左音声信号Ｌａに対して位相が反転した他方の左音声信号Ｌｂを得、これを下側の圧電アクチュエータ１０３へ供給する。
【００８６】
同様に、この駆動方法では、元の右音声信号Ｒｏを、そのまま一方の右音声信号Ｒａとして右側の圧電アクチュエータ１０３へ供給すると共に、位相反転回路６２により右音声信号Ｒｏの位相を反転させることにより、一方の右音声信号Ｒａに対して位相が反転した他方の右音声信号Ｒｂを得、これを左側の圧電アクチュエータ１０３へ供給する。
【００８７】
従って、この駆動方法では、左音声信号Ｌａと左音声信号Ｌｂとの間の相関係数ｒ１３（図９）は−１となり、右音声信号Ｒａと右音声信号Ｒｂとの間の相関係数ｒ２４も−１となり、パイプ１０２の外側に拡がり感のある音像Ａｉが形成される。
【００８８】
なお、この駆動方法では、リスナーは、矢印９Ａで示す方向から聴いても、矢印９Ｂで示す方向から聴いても、リスナーから見て左側に左音声信号が定位し、リスナーから見て右側に右音声信号が定位するように音楽を聴取することができる。
【００８９】
但し、リスナーの聴取方向が固定される場合などには、互いに隣接する上側の圧電アクチュエータ１０３、右側の圧電アクチュエータ１０３に左音声信号Ｌａ、Ｌｂが供給され、互いに隣接する下側の圧電アクチュエータ１０３、左側の圧電アクチュエータ１０３に右音声信号Ｒａ、Ｒｂが供給されるようにしてもよい。
【００９０】
因みに、ステレオ再生を行う場合の駆動方法としては、上述した以外にも、音声信号の位相を９０°ずらすことによって無相関化する例や、音声信号の位相を９０°遅らせる（または進ませる）ことによって無相関化する例や、音声信号の所定時間だけ遅延させることによって無相関化する例や、互いに相補的な周波数特性の２つの櫛型フィルタによって無相関化する例や、シュレーダー回路によって無相関化する例等がある。
【００９１】
［１−６．サラウンド再生を行う場合の駆動方法］
例えば図１３に示すように、サラウンド再生を行う場合の駆動方法としては、元の左音声信号Ｌｏを、そのまま左音声信号Ｌとして、左側下方の圧電アクチュエータ１０３へ供給すると共に、元の右音声信号Ｒｏを、そのまま右音声信号Ｒとして、右側下方の圧伝アクチュエータ１０３へ供給する。
【００９２】
同時に、演算回路７７によって左音声信号Ｌｏから右音声信号Ｒｏを減算して、左音声信号Ｌ（Ｌｏ）および右音声信号Ｒ（Ｒｏ）のそれぞれに対して無相関化された信号（Ｌｏ−Ｒｏ）を得、この信号（Ｌｏ−Ｒｏ）をサラウンド左音声信号ＳＬとして左側上方の圧電アクチュエータ１０３へ供給する。
【００９３】
同様に、演算回路７８によって右音声信号Ｒｏから左音声信号Ｌｏを減算して、左音声信号Ｌ（Ｌｏ）および右音声信号Ｒ（Ｒｏ）のそれぞれに対して無相関化された信号（Ｒｏ−Ｌｏ）を得、この信号（Ｒｏ−Ｌｏ）をサラウンド右音声信号ＳＲとして右側上方の圧電アクチュエータ１０３へ供給する。
【００９４】
サラウンド右音声信号ＳＲは、サラウンド左音声信号ＳＬに対しても無相関となり、すなわちサラウンド左音声信号ＳＬとサラウンド右音声信号ＳＲとは相互に無相関となる。
【００９５】
実際上、リスナーは再生される音響を例えば矢印９ｃで示す方向から聴くと、図１４に示すように、フロント音像Ａｆは、パイプ１０２の内側において、左側下方の圧電アクチュエータ１０３と右側下方の圧電アクチュエータ１０３との間に形成される。
【００９６】
一方、リア音像Ａｒは、パイプ１０２の外側において、左側上方の圧電アクチュエータ１０３の近傍位置から右側上方の圧電アクチュエータ１０３の近傍位置までに渡って形成され、フロント音像Ａｆおよびリア音像Ａｒによって全体として多指向型となる。
【００９７】
なお、サラウンド再生を行う場合の駆動方法としても、上述した方法に限るものではなく、その他種々の方法によって駆動方法を用いることが可能である。
【００９８】
［１−７．スピーカ装置の動作］
続いて、このスピーカ装置１００（図２乃至図５）の動作を説明する。
【００９９】
スピーカ装置１００では、ベース筐体１０１に収納固定された４個の圧電アクチュエータ１０３が互いに無相関化された４種類の音声信号により駆動され、個々の駆動ロッド１０３Ａがそれぞれの音声信号に応じて変位し、パイプ１０２の下端部側の端面からこの端面に直交した方向（面方向）の振動成分によりパイプ１０２を加振する。
【０１００】
このとき、パイプ１０２の下端部側の端面は縦波で励振され、当該パイプ１０２を弾性波（振動）が面方向へ伝播していく。そして、この弾性波がパイプ１０２を伝播する際に縦波、横波、縦波、……、のモード変換を繰り返し、縦波と横波との混在波となり、横波によってパイプ１０２の面内方向（面に垂直な方向）の振動が励振される。
【０１０１】
これによりスピーカ装置１００は、パイプ１０２から音波を放射することになる。すなわちスピーカ装置１００は、このパイプ１０２の外面から高音域の音声出力を得ることができる。
【０１０２】
なお、この場合のスピーカ装置１００では、パイプ１０２の下端部側の円形端面に沿って等間隔に配置された４個の圧電アクチュエータ１０３が互いに無相関化された４つの音声信号により駆動されるため、音像がパイプ１０２の外側に環状に形成され、ユーザにとっては大きな拡がり感が得られることになる。
【０１０３】
またスピーカ装置１００では、図１５に示すように、ベース筐体１０１の下面側に取り付けられたスピーカユニット１０４の前面から音声信号の低域成分によって正相の音波ＳＷＦが得られ、その背面からは音声信号の低域成分によって逆相の音波ＳＷＢが得られる。
【０１０４】
このスピーカユニット１０４の前面から得られる音波ＳＷＦは、ベース筐体１０１の下面側から外部へ放射される。また、このスピーカユニット１０４の背面から得られる音波ＳＷＢは、開口部１０５およびパイプ１０２の内部を通って上側端面に取り付けられたエッジ兼振動板１０２Ｂへ向かう。
【０１０５】
このときパイプ１０２は、音波ＳＷＢにより励振可能な程度に軽くかつ薄く形成されているので、その内部を通る逆相の音波（空気の粗密）ＳＷＢにより当該パイプ１０２の管壁が励振される。
【０１０６】
このような逆相の音波ＳＷＢによる励振のため、パイプ１０２の管壁はその音波ＳＷＢに対応して振動し、共鳴管として機能することにより、当該パイプ１０２の外面全体から外部へスピーカユニット１０４の駆動に係る音声信号に対応した正相の音波ＳＷＳが放射される。このため、ユーザにとってはパイプ１０２の長手方向の各位置で均一な音圧を感じ、パイプ１０２全体への拡がり感のある音像を得ることができる。
【０１０７】
なお、このときスピーカ装置１００は、パイプ１０２の上方がエッジ兼振動板１０２Ｂによって塞がれているため、当該パイプ１０２が逆相の音波ＳＷＢにより振動したときの内側に発生した逆相の音波（図示せず）については、パイプ１０２の内部に閉じ込められたままとなり外部に放射されずに済む。
【０１０８】
これによりスピーカ装置１００は、パイプ１０２の外面全体から外部へ放射される正相の音波ＳＷＳに対する逆相の音波による悪影響を予め排除できるので、エッジ兼振動板１０２Ｂが取り付けられていない場合よりも良好な音響特性を得ることができる。
【０１０９】
そのうえスピーカ装置１００は、スピーカユニット１０４の背面から開口部１０５およびパイプ１０２の内部を通って外部へ向かう音波ＳＷＢによってパッシブラジエターとしてのエッジ兼振動板１０２Ｂが振動され、当該エッジ兼振動板１０２Ｂを介して一段と低音域が増大された状態の音波ＳＷＢが外部へ放射されることになる。
【０１１０】
従ってスピーカ装置１００は、パイプ１０２の外面全体から外部へ放射される音波ＳＷＳと、パッシブラジエターとしてのエッジ兼振動板１０２Ｂを介して外部へ放射される音波ＳＷＢとによって従来よりも一段と増大された低音出力が可能となる。
【０１１１】
すなわちスピーカ装置１００は、４個の圧電アクチュエータ１０３からの加振により、当該パイプ１０２の外面から高音域の音声出力を得、スピーカユニット１０４からの逆相の音波ＳＷＢによりパイプ１０２の管壁が振動し、共鳴管として機能することにより、当該パイプ１０２の外面全体から低音域の音声出力を得ると共に、スピーカユニット１０４からの逆相の音波ＳＷＢによりエッジ兼振動板１０２Ｂがパッシブラジエターとして機能することにより一段と増大した低音域の音声出力を得ることができる。
【０１１２】
［１−８．パッシブラジエターによる特性］
ところで、スピーカ装置１００（図２、図３）においてはパイプ１０２の上側端面にエッジ兼振動板１０２Ｂがパッシブラジエターとして取り付けられていることを特徴としており、実際にパッシブラジエターが取り付けられていない場合と、取り付けられている場合とにおける周波数特性の差について検討する。
【０１１３】
図１６（Ａ）に示すように、スピーカ装置１００においては、パイプ１０２に対してパッシブラジエター（エッジ兼振動板１０２Ｂ）が取り付けられていない場合、音圧特性ＳＬおよびインピーダンス特性ＩＬは図のようになる。
【０１１４】
この場合、インピーダンス特性ＩＬにおいてはディップという谷の部分の発生した箇所の周波数ｆ１（約８０Ｈｚ）がパイプ１０２全体の共鳴点となる。
【０１１５】
このとき、音圧特性ＳＬにおいてはその共鳴点で１次共振が発生し、約２４０Ｈｚ付近の周波数Ｐ１、約４００Ｈｚ付近の周波数Ｐ２、約５６０Ｈｚの周波数Ｐ３で３次、５次、７次の高次共振が発生している。
【０１１６】
これに対して図１６（Ｂ）に示すように、スピーカ装置１００においては、パイプ１０２に対してパッシブラジエター（エッジ兼振動板１０２Ｂ）が取り付けられている場合、音圧特性ＳＬおよびインピーダンス特性ＩＬは図のようになる。
【０１１７】
この場合、インピーダンス特性ＩＬにおいてはディップの発生した箇所の周波数ｆ１´（約６５Ｈｚ）がパイプ１０２およびエッジ兼振動板１０２全体の共鳴点となり、音圧特性ＳＬにおいてはその共鳴点の周波数帯域を含むエリアＡＲで１次共振が発生する。
【０１１８】
すなわち音圧特性ＳＬにおいては、共鳴点が周波数ｆ１（約８０Ｈｚ）から周波数ｆ１´（約６５Ｈｚ）へ、その周波数帯域が下がったことにより、これまでよりも更に低音域再生が可能となり、その音圧レベルも増大していることを示している。
【０１１９】
また音圧特性ＳＬにおいては、約２０５Ｈｚ付近の周波数Ｐ１´、約３４０Ｈｚ付近の周波数Ｐ２´、約５００Ｈｚの周波数Ｐ３´で３次、５次、７次の高次共振が発生しているものの、パッシブラジエターが取り付けられていない場合（図１６（Ａ））に比べて、全体的に周波数帯域が下がり、かつピークレベルについても大きく低下している。
【０１２０】
このようにスピーカ装置１００では、パイプ１０２に対してパッシブラジエター（エッジ兼振動板１０２Ｂ）が取り付けられたことにより、人間の耳にとって心地良くない奇数次の高次共振を抑制しながら、パッシブラジエターが取り付けられていない場合に比べて、更に低音域の出力を増大させ得るようになされている。
【０１２１】
実際上スピーカ装置１００では、パイプ１０２の長さおよび直径（体積）については変更することの無いまま、パイプ１０２と同じ透明なエッジ兼振動板１０２Ｂが取り付けられるだけの簡単な構成により、見た目には特に大きな変化をユーザに感じさせることなく低音域の出力を増大することができる。
【０１２２】
特にスピーカ装置１００は、共鳴管として機能するパイプ１０２の長さにより低域再生周波数が決まるが、共鳴管＋パッシブラジエターの場合、共鳴管の長さとパッシブラジエターのスチフネス（振動板部分の動き易さ）と、当該パッシブラジエター自体の重さ（この場合のエッジ兼振動板１０２Ｂは４．２[ｇ]である）により低域再生周波数が決まる。
【０１２３】
すなわちスピーカ装置１００では、共鳴管としてのパイプ１０２の長さが十分ではなくても、パイプ１０２（この場合１２３２[ｇ]である）に対して、パッシブラジエター（エッジ兼振動板１０２Ｂ）のスチフネスと質量とを最適化することにより低域再生周波数をコントロールし得るようになされている。
【０１２４】
逆にいえば、スピーカ装置１００は、共鳴管としてのパイプ１０２の長さが十分ではなくても更に低音域の再生が可能なので、これまでよりもパイプ１０２の長さを短くすることができ、一段と小型化を実現し得るようになされている。
【０１２５】
［１−９．パッシブラジエターを介した照明効果］
このスピーカ装置１００（図３）では、スピーカユニット１０４の背面側を覆うように配置されたステー１３１に対して６０度間隔ごとに配置された計６個のＬＥＤ電球１３２からの照射光を拡散板１３３によって拡散し、拡散光としてパイプ１０２の内部を通過させる。
【０１２６】
このときスピーカ装置１００は、図１７に示すように、拡散板１３３によって拡散された拡散光がパイプ１０２の内側面で反射した後、エッジ兼振動板１０２Ｂに到達し、当該エッジ兼振動板１０２Ｂを照射するようになされている。
【０１２７】
ここでパイプ１０２は、上述したように、透光性または導光性のアクリル樹脂によって形成されているため、拡散板１３３によって拡散された拡散光を当該パイプ１０２の内側面で反射させた後、効率良くエッジ兼振動板１０２Ｂに到達させるようになされている。
【０１２８】
またエッジ兼振動板１０２Ｂは、光拡散性を有する光拡散板でもあるため、パイプ１０２の内部を通過した拡散光を当該エッジ兼振動板１０２Ｂにより更に拡散した後、外部へ放射する。
【０１２９】
このときエッジ兼振動板１０２Ｂは、パッシブラジエターとして機能し、スピーカユニット１０４の低音出力と同調して振動するので、スピーカ装置１００としては、スピーカユニット１０４およびエッジ兼振動板１０２Ｂの振動による音と、当該エッジ兼振動板１０２Ｂを介して放射される光とが同調した発光状態を形成することができる。
【０１３０】
［１−１０．動作及び効果］
以上の構成において、スピーカ装置１００は、パイプ１０２の一端側に設けられたスピーカユニット１０４と対向するように、当該パイプ１０２の他端側にエッジ兼振動板１０２Ｂが設けられたことにより、当該エッジ兼振動板１０２Ｂを低音域増強のためのパッシブラジエターとして機能させる。
【０１３１】
このときスピーカ装置１００では、音声信号を供給するための電気的な接続がスピーカユニット１０４には必要であるのに対し、そのスピーカユニット１０４の背面から放射される逆相の音波を受けてエッジ兼振動板１０２Ｂが振動する構成であるため、当該エッジ兼振動板１０２Ｂに対しては電気的な接続が不要で構成を簡素化することができる。
【０１３２】
この場合スピーカ装置１００では、エッジ兼振動板１０２Ｂがパッシブラジエターとして機能することに加えて、スピーカユニット１０４の背面からの逆相の音波ＳＥＢによりパイプ１０２の管壁が励振されて振動し、共鳴管として機能することにより、パイプ１０２及びエッジ兼振動板１０２Ｂの組み合わせによる効率の良い低音増強効果を得ることができる。
【０１３３】
しかもスピーカ装置１００は、パイプ１０２およびエッジ兼振動板１０２Ｂの双方が透明であってユーザの目に映ることがないため、見た目にはパッシブラジエターが設けられていない従来の構造と変化がなく、ユーザに対して特別な違和感を与えずに済み、当初のデザイン性を損なうことがない。
【０１３４】
なおスピーカ装置１００では、当該パイプ１０２の上端部にエッジ兼振動板１０２Ｂが設けられたことにより、パイプ１０２の内部空間が上方からは密閉された状態となり、粉塵の混入を未然に防止し、圧電アクチュエータ１０３および駆動ロッド１０３Ａの動きが粉塵によって妨害されることによる音響的な悪影響を回避することができる。
【０１３５】
さらにスピーカ装置１００のエッジ兼振動板１０２Ｂは、エッジ部分ＥＧと振動板部分ＢＣとが一体成形された構造を有しているため、従来のようにエッジ部分と振動板部分とを貼り合わせた後に個別にチューニングする必要性がなく、エッジ兼振動板１０２Ｂ全体としてのみチューニングすれば済み、製造時の煩雑さを解消することができる。
【０１３６】
以上の構成によれば、スピーカ装置１００は、パイプ１０２の一端側に設けられたスピーカユニット１０４と対向し他端側に設けられたエッジ兼振動板１０２Ｂを低音域増強のためのパッシブラジエターとして機能させることにより、その構成を複雑化せず、かつパイプ１０２を大型化することなく低音域を増大することができる。
【０１３７】
＜２．他の実施の形態＞
なお上述の実施の形態においては、圧電アクチュエータ１０３の駆動ロッド１０３Ａを介してパイプ１０２の下端部側の端面から、この端面に直交した方向の振動成分をもって当該パイプ１０２を加振することにより、パイプ１０２の外面全体から音声出力するようにした場合について述べた。しかしながら、本発明はこれに限らず、圧電アクチュエータ１０３を用いることなく、スピーカユニット１０４の背面側から放射される逆相の音波だけによりパイプ１０２の管壁を励振するようにしても良い。
【０１３８】
具体的には、図２との対応部分に同一符号を付した図１８乃至図２０に示すように、スピーカ装置２００は、ベース筐体１０１とパイプ２２２と動電型アクチュエータを用いたスピーカユニット１０４とだけから構成されており、スピーカ装置１００のようなパイプ１０２を直接的に加振する圧電アクチュエータ１０３については設けられていない。
【０１３９】
パイプ２２２は、スピーカユニット１０４からの音波により加振可能な程度に軽くかつ薄く形成されている。例えば、このパイプ２２２は、材料としてポリカーボネート又はアクリル樹脂が使用され、その厚みが０．５ｍｍとされている。
【０１４０】
このパイプ２２２は、一端側及び他端側が開放された状態となっており、一端側の端部である下端部は上述したベース筐体１０１の上面に例えば接着剤を用いて固定され、他端側では上述したようなエッジ兼振動板１０２Ｂが外枠１０２Ａを介して取り付けられている。
【０１４１】
このパイプ２２２は、共鳴管として機能させるために、その口径がベース筐体１０１に形成されている開口部１０５の口径とほぼ同一とされると共に、開口部１０５と位置合わせされた状態で固定されている。
【０１４２】
スピーカユニット１０４は、ベース筐体１０１の下面側の開口部１０５と対応した位置に、下方に前面を向けた状態で、例えばビス（図示せず）を用いて取り付けられている。このスピーカユニット１０４は、パイプ２２２と同軸上に配置された状態となっており、音声信号に基づいて駆動される。
【０１４３】
このスピーカユニット１０４の前面から出力される正相の音波ＳＷＦ（図２０）は、ベース筐体１０１の下面側から外部に放射され、当該スピーカユニット１０４の背面から出力される逆相の音波ＳＷＢは開口部１０５及びパイプ２２２の内部を通って当該パイプ２２２の上端側に設けられたエッジ兼振動板１０２Ｂを介して低音域が増大された状態で外部に放射される。
【０１４４】
またパイプ２２２は、その内部を通る逆相の音波ＳＷＢにより当該パイプ２２２の管壁が加振されるため、当該管壁がその音波ＳＷＢに対応して振動し、パイプ２２２の外面全体から外部へスピーカユニット１０４の駆動に係る音声信号に対応した音波ＳＷＳが放射されることになる。このためユーザは、パイプ２２２の長手方向の各位置で均一な音圧を感じることができ、かくしてパイプ２２２全体への拡がり感のある音象を得ることができる。
【０１４５】
しかも、このときパイプ２２２は共鳴管として機能することに加えてスピーカユニット１０４と対向する位置に配置されたエッジ兼振動板１０２Ｂがパッシブラジエターとして機能するため、低音域が一段と増大されたものとなる。
【０１４６】
また上述の実施の形態においては、パイプ１０２の上側端面の外枠１０２Ａに対してウレタン素材でなるエッジ兼振動板１０２Ｂが取り付けられるようにした場合について述べた。しかしながら、本発明はこれに限らず、外枠１０２Ａに対してウレタン素材のエッジが取り付けられ、当該エッジに対してアクリル樹脂の振動板、カーボン、紙等のその他種々の材料でなる振動板が取り付けられるようにしても良い。
【０１４７】
さらに上述の実施の形態においては、ウレタン素材でなる透明なエッジ兼振動板１０２Ｂを用いるようにした場合について述べた。しかしながら、本発明はこれに限らず、エステル系素材でなる透明なエッジ兼振動板１０２を用いるようにしても良く、透明でなくても良い場合にはスチレン系素材でなるエッジ兼振動板１０２を用いるようにしても良い。
【０１４８】
さらに上述の実施の形態においては、円筒形状でなるパイプ１０２を用いるようにした場合について述べたが、本発明はこれに限らず、例えば図２１に示すように、スピーカユニット１０４からの音波ＳＷＢが進む方向へ向かって次第に口径が大きくなるような形状のパイプ２３２を用いるようにしても良い。
【０１４９】
この場合、パイプ２３２はパイプ１０２が用いられた場合と同様の効果を奏することが出来る。その他、スピーカユニット１０４からの音波ＳＷＢが進む方向へ向かって次第に口径が大きくされているため、電気的なインダクタンス成分が増し、周波数特性の平坦化と共鳴のダンピング効果を得ることができる。さらに音波ＳＷＢが放射される出口が広くなっていることから、音像の拡がり感を増大させることができるという効果を得ることもできる。
【０１５０】
さらに上述の実施の形態においては、外枠１０２Ａを介してエッジ兼振動板１０２Ｂが取り付けられるようにした場合について述べた。しかしながら、本発明はこれに限らず、図２２に示すように、外枠１０２Ａを用いることなく、パイプ１０２の上端部に直接エッジ兼振動板２５２Ｂを接着し、当該エッジ兼振動板２５２Ｂ及びパイプ１０２の端部を覆うように外枠２５２Ａを取り付けるようにしても良い。
【０１５１】
この場合、パイプ１０２の外径と、エッジ兼振動板２５２Ｂの外径とが一致し、当該パイプ１０２の内径の全てに対してエッジ兼振動板２５２Ｂが存在することになるので、スピーカユニット１０４の背面から出力される直接的な音波ＳＷＢによりエッジ兼振動板２５２Ｂの全面がパッシブラジエターとして理想的に動作する。
【０１５２】
そのうえ、この場合は、パイプ１０２の圧電アクチュエータ１０３による振動が加振点から上部端面まで伝わるが、その上部端面における反射波がエッジ兼振動板２５２Ｂのエッジ部分ＥＧによって抑制され、反射波による定在波の発生を防止することができる。
【０１５３】
さらに上述の実施の形態においては、外枠１０２Ａを介してエッジ兼振動板１０２Ｂが取り付けられるようにした場合について述べた。しかしながら、本発明はこれに限らず、図２３に示すように、エッジ兼振動板１０２Ｂの代わりに外枠１０２Ａを介して一般的なスピーカユニットのようなコーン紙２２０及びキャップ２２１が取り付けられるようにしても良い。
【０１５４】
さらに上述の実施の形態においては、筒状部材としてのパイプ１０２、発音体としてのスピーカユニット１０４、振動板としてのエッジ兼振動板１０２Ｂによって本発明のスピーカ装置を構成するようにした場合について述べた。しかしながら本発明はこれに限らず、その他種々の構成でなる筒状部材、発音体および振動板によってスピーカ装置を構成するようにしても良い。
【産業上の利用可能性】
【０１５５】
本発明のスピーカ装置および音声出力方法は、例えばスピーカ装置単体で用いられる以外にも、テレビ等のオーディオビジュアル機器に組み込まれるスピーカ装置に適用することができる。
【符号の説明】
【０１５６】
１００、２００……スピーカ装置、１０１……ベース筐体、１０２、２２２、２３２……パイプ、１０２Ｂ、２３２Ｂ、２５２Ｂ……エッジ兼振動板、１０３……圧電アクチュエータ、１０４……スピーカユニット、１０５……開口部、１０６……脚部、１０７……Ｌ字アングル、１０８、１１２、１１３，１１５、１１６……ダンピング材、１３１……ステー、１３２……ＬＥＤ電球、１３３……拡散板、２２０……コーン紙、２２１……キャップ。
【図１】
2011223312.tif 000003
【図２】
2011223312.tif 000004
【図３】
2011223312.tif 000005
【図４】
2011223312.tif 000006
【図５】
2011223312.tif 000007
【図６】
2011223312.tif 000008
【図７】
2011223312.tif 000009
【図８】
2011223312.tif 000010
【図９】
2011223312.tif 000011
【図１０】
2011223312.tif 000012
【図１１】
2011223312.tif 000013
【図１２】
2011223312.tif 000014
【図１３】
2011223312.tif 000015
【図１４】
2011223312.tif 000016
【図１５】
2011223312.tif 000017
【図１６】
2011223312.tif 000018
【図１７】
2011223312.tif 000019
【図１８】
2011223312.tif 000020
【図１９】
2011223312.tif 000021
【図２０】
2011223312.tif 000022
【図２１】
2011223312.tif 000023
【図２２】
2011223312.tif 000024
【図２３】
2011223312.tif 000025